(57)【要約】  本開示は、毛髪を捕捉する方向に沿って、取り付け具又は脱毛器のハウジングに対して駆動運動するように配置された、毛髪をクランプし、引き抜く、少なくともクランプユニットを有する脱毛器の取り付け具又は脱毛器に関し、クランプユニットは、クランプ面及び毛髪ガイド面を有する可動クランプ要素と、クランプ面及び毛髪ガイド面を有する固定クランプ要素とを含み、可動クランプ要素及び固定クランプ要素は、２つのクランプ面が、その間に毛髪を受容するための隙間が形成されるように、最小の距離を有する、開位置と、２つのクランプ面が互いに当接する閉位置との間で周期的に移動できるように配置されており、２つの毛髪ガイド面は、開位置において、毛髪を捕捉する方向において隙間の前方に漏斗形状を形成し、この漏斗形状は、毛髪を捕捉する方向と垂直な幅方向で測定した幅を有し、この漏斗形状幅は、可動クランプ要素の毛髪ガイド面の幅、隙間幅、及び固定クランプ要素の毛髪ガイド面の幅の合計により求められ、固定クランプ要素の毛髪ガイド面の幅は、可動クランプ要素の毛髪ガイド面の幅より大きく、任意により、固定クランプ要素の毛髪ガイド面の幅は、可動クランプ要素の毛髪ガイド面の幅及び隙間幅の合計とほぼ同じ大きさである。
2015530212.tif 000002
【特許請求の範囲】
【請求項１】
長手方向シリンダ軸を中心として回転するように配置されたクランプシリンダ（３０）と、毛髪をクランプし、引き抜くために前記クランプシリンダ（３０）上に提供された少なくとも１つのクランプユニット（３１）とを含む脱毛器であって、前記クランプユニット（３１）は、毛髪を捕捉する方向（Ｌ）に沿って駆動運動するように配置され、前記クランプユニット（３１）は、前記クランプシリンダ（３０）の周辺部の突出部分を形成し、前記クランプシリンダは、動作中、ユーザの皮膚に接触することを意図されない、低い高さの表面（２３）を含み、前記クランプシリンダ（３０）の前記低い高さの表面（２３）の少なくとも一部は、規則的な構造、又は前記クランプシリンダの他の部分における毛髪に対する摩擦係数よりも、毛髪に対してより高い摩擦係数を備えた前記低い高さの表面部分のうちの一方を含む、脱毛器。
【請求項２】
前記規則的な構造は、前記長手方向シリンダ軸（Ｃ）に対して平行に延びるリッジ（３６）を含む、請求項１に記載の脱毛器。
【請求項３】
前記リッジ（３６）は、０．０５ｍｍ〜約０．５ｍｍの範囲内の半径方向高さを有する、請求項２に記載の脱毛器。
【請求項４】
前記リッジ（３１）の前記半径方向高さは、約０．０８ｍｍ〜約０．２ｍｍの範囲内である、請求項３に記載の脱毛器。
【請求項５】
前記リッジ（３６）間の円周距離は、約０．２ｍｍ〜約２ｍｍの範囲内である、請求項２に記載の脱毛器。
【請求項６】
毛髪に対して増加された摩擦係数を備えた前記低い高さの表面部分（２３）は、前記クランプシリンダ（１１、３０）の別の部分と比べて、より粗い表面を含む、請求項１に記載の脱毛器。
【請求項７】
前記粗い表面は、０．０５ｍｍ〜約０．５ｍｍの深さの凹部を含む、請求項６に記載の脱毛器。
【請求項８】
毛髪に対して増加された摩擦係数を備えた前記低い高さの表面部分（２３）は、コーティング済み表面を含む、請求項１に記載の脱毛器。
【請求項９】
前記コーティング済み表面は、エラストマーを含む、請求項８に記載の脱毛器。
【請求項１０】
前記クランプユニットは、
クランプ区分及び少なくとも翼状区分を有する可動第１クランプ要素（３３）であって、前記クランプ区分は、クランプ面を有し、前記翼状区分は、ガイド面を有し、前記ガイド面は、少なくとも前記毛髪を捕捉する方向に対して前記クランプ面から外側に傾く、可動第１クランプ要素（３３）と、
クランプ区分及び少なくとも翼状区分を有する固定第２クランプ要素であって、前記クランプ区分は、クランプ面を有し、前記翼状区分は、ガイド面を有し、前記ガイド面は、少なくとも前記毛髪を捕捉する方向に対して前記クランプ面から外側に傾く、固定第２クランプ要素と、を更に含み、
前記クランプユニットは、毛髪を受容し、前記毛髪を捕捉する方向と垂直な幅方向で最小幅を有する隙間が、前記可動第１クランプ要素の前記クランプ面と、前記固定第２クランプ要素の前記クランプ面との間で延びる開位置と、前記可動第１クランプ要素の前記クランプ面及び前記固定第２クランプ要素の前記クランプ面が、少なくともクランプ線に沿って互いに当接する閉位置との間で周期的に移動するように配置され、
前記可動第１クランプ要素の前記ガイド面が、毛髪を前記隙間の方に案内する漏斗形状の第１の側を画定し、前記固定第２クランプ要素の前記ガイド面が前記漏斗形状の第２の側を画定し、
前記毛髪を捕捉する方向と垂直な幅方向で測定した前記固定第２クランプ要素の前記毛髪ガイド面の前記幅が、前記可動第１クランプ要素の前記毛髪ガイド面の前記対応する幅よりも大きい、請求項１に記載の脱毛器。
【請求項１１】
前記固定第２クランプ要素の前記毛髪ガイド面の前記幅が、前記可動第１クランプ要素の前記毛髪ガイド面の前記幅と、前記開位置における前記隙間の前記幅との合計とほぼ同じ大きさである、請求項１０に記載の脱毛器。
【請求項１２】
前記第１及び前記第２クランプ要素は、仮想筒形シリンダの表面上に存在する外側表面を有する、請求項１０に記載の脱毛器。
【請求項１３】
前記クランプユニットは、回転軸を中心として回転するクランプシリンダ上に配置され、前記可動第１クランプ要素は、前記毛髪を捕捉する方向に垂直な方向に、又は前記回転軸に平行な方向に可動である、請求項１０に記載の脱毛器。
【請求項１４】
前記クランプユニットが毛髪を捕捉する合計有効幅は、２ｍｍ〜７ｍｍであり、これは、クランプユニット内の隣接する両方の翼状区分の前記幅と、前記開位置にある、両方のクランプ区分の間の前記隙間幅との合計である、請求項１０に記載の脱毛器。
【請求項１５】
長手方向シリンダ軸を中心として回転するように配置されたクランプシリンダと、毛髪をクランプし、引き抜くために前記クランプシリンダ上に提供された少なくとも１つのクランプユニットとを含む脱毛器であって、前記クランプユニットは、毛髪を捕捉する方向に沿って駆動運動するように配置され、前記クランプシリンダの表面部分は、０．０５ｍｍ〜０．５ｍｍの半径方向高さの伸張部分を備えた毛髪を起こす構造体を備えた、脱毛器。
【請求項１６】
前記毛髪を起こす構造体は、前記クランプシリンダ周辺部の回転方向に沿って、前記長手方向シリンダ軸（Ｃ）に対して垂直な方向においてよりも、前記長手方向シリンダ軸（Ｃ）に対して平行な方向においてより大きい伸張部分を有する、請求項１５に記載の脱毛器。
【請求項１７】
長手方向シリンダ軸（Ｃ）を中心として回転するように配置されたクランプシリンダと、毛髪をクランプし、引き抜くために前記クランプシリンダ上に提供された少なくとも１つのクランプユニットとを含む脱毛器であって、前記クランプユニットは、毛髪を捕捉する方向に沿って駆動運動するように配置され、前記クランプシリンダの表面部分には毛髪を起こす表面が備えられ、前記毛髪を起こす表面は、エラストマー軟質材料によって製造され、前記クランプシリンダは、射出成形済み硬質−軟質ポリマー材料を含む、脱毛器。
【発明の詳細な説明】
【技術分野】
【０００１】
本発明は、脱毛器に関する。
【背景技術】
【０００２】
脱毛器は、２つのクランプ要素を含むクランプユニットが上部に配置された、クランプシリンダを含み得ることが既知である。動作中、クランプシリンダが、そのシリンダ軸を中心に回転するように駆動される。クランプユニットは、隙間内に毛髪が入り得るように、２つのクランプ要素の間に隙間が延びる開位置と、２つのクランプ要素が少なくともクランプ線に沿って互いに当接する閉位置であって、閉位置にある際に、クランプユニットがクランプシリンダ上で回転し続けるときに、クランプ要素の間でクランプされた毛髪がユーザの皮膚から引き抜かれる、閉位置との間で周期的に移動するように配置されている。欧州特許第１  ７９６  ５０１（Ｂ１）号は、概ね、複数のクランプユニットを有するクランプシリンダについて記載する。
【先行技術文献】
【特許文献】
【０００３】
【特許文献１】欧州特許第１  ７９６  ５０１（Ｂ１）号
【発明の概要】
【発明が解決しようとする課題】
【０００４】
脱毛器の効率性を向上させる、すなわち、クランプされ、引き抜かれる毛髪の数を増加させることが、一般的に所望されている。
【０００５】
したがって、本開示の目的は、既知の装置を超える、増加されたクランプ効率性及び引き抜き効率性を有する脱毛器を提供することである。
【課題を解決するための手段】
【０００６】
１つの態様によると、長手方向シリンダ軸を中心として回転するように配置されたクランプシリンダを含む脱毛器が提供され、少なくとも１つのクランプユニットが毛髪をクランプし、引き抜くためにクランプシリンダ上に提供され、クランプユニットは毛髪を捕捉する方向に沿って駆動運動するように配置され、クランプユニットはクランプシリンダの周辺部の突出部分を形成し、動作中、ユーザの皮膚に接触することを意図されない、クランプシリンダの低い高さの表面の少なくとも一部は、規則的な構造、又はクランプシリンダの他の部分における毛髪に対する摩擦係数よりも、毛髪に対してより高い増加された摩擦係数を備えた低い高さの表面部分のいずれかを含む。別の方法としては、クランプユニットの別の部分によって提供される摩擦係数よりも、ほんの少しだけ高い、低い高さの表面部分（特に毛髪に関連しない）の摩擦係数が提供されてもよい。この他の部分は、例えば、クランプユニットの外側皮膚接触表面であってもよい。皮膚と接触しない低い高さの表面が、反対の特徴を呈する一方で、クランプにユニットが皮膚上を円滑に滑るように配置されることで、毛髪の把持及び再方向付けを容易にする。この効果はまた、クランプシリンダの低い高さ部分の表面構造によって達成されてもよい。クランプシリンダの低い高さは、クランプシリンダの他の突出部に対してベース高さとして画定される。クランプユニットは、このような突出部の１つの例であってもよい。上記又は下記の、毛髪を起こす／再方向付けすることに関連する態様は、クランプユニットの他の機構から独立していてもよく、又はこれらと組み合わせてもよい。
【０００７】
１つの態様によると、長手方向シリンダ軸に対して平行に延びるリッジを含む規則的な構造が提供される。したがってリッジは、処置される体上でのクランプシリンダの移動方向に対して横切るように延びる。これにより起立される毛髪の把持が容易になる。リッジは、クランプシリンダのジグザグな周辺部の断面を作ってもよい。あるいは、リッジは、溝部又は波形部又は低い表面部分に他の機構を作ってもよい。
【０００８】
１つの態様によると、リッジが、０．０５ｍｍ〜約０．５ｍｍの範囲の半径方向高さを有するように提供されてもよい。毛髪を起こす構造体は、好ましくは微視的高さで提供される。上記の範囲の数字を備えるリッジ構造は、少なくとも約１平均毛髪直径〜１０倍の平均毛髪直径の範囲の深さ又は高さである。半径方向高さ（又は深さ）は、長手方向軸からクランプシリンダの周辺部における点を通るように提供される半径方向線までの仮想の伸張部分の方向を指す。更に、この範囲及び最小伸張部分により、脱毛時、構造化された表面が皮膚に対して押圧されないことが確実である。
【０００９】
１つの態様によると、半径方向高さが、約０．０８ｍｍ〜約０．２ｍｍの範囲であるように提供される。
【００１０】
１つの態様によると、リッジ間の円周距離が、約０．２ｍｍ〜約２ｍｍの範囲であるように提供される。これにより、射出成形による良好な製造が可能でありながら、起立される毛髪の把持効率性が改善される。
【００１１】
１つの態様によると、毛髪に関して増加された摩擦係数を備えた低い高さの表面部分は、クランプシリンダの別の部分と比べてより粗い表面を含む。したがって、皮膚と接触するこのような部分は、皮膚とは接触しないが毛髪を起こすのに役立つように意図されるクランプシリンダの低い高さ部分よりも平滑であり、皮膚上をよく滑ることが好ましい。毛髪の端部が粗い凹部に捕捉されるときに、毛髪は起こせられ、ひいては再方向付けされる。
【００１２】
１つの態様によると、粗い表面が、０．０５ｍｍ〜約０．５ｍｍの深さを備える凹部を含むように提供される。この深さは、長手方向軸から、クランプシリンダの周辺部におけるある点を通って提供される半径方向線までの仮想の伸張部分の方向を指す。したがって、これは表面に垂直な方向で測定される。更に、この範囲及び最小伸張部分を備える場合、脱毛時、構造化された表面が皮膚に対して押圧されないことは確実である。
【００１３】
１つの態様によると、毛髪に対して増加された摩擦係数を備えた低い高さの表面部分は、コーティング済み表面を含むように提供される。コーティング済み表面は、毛髪が表面に沿って滑り得ないような摩擦係数に増加させ得ることが分かった。
【００１４】
１つの態様によると、コーティング済み表面はエラストマーを含むように提供される。
【００１５】
１つの態様によると、少なくとも毛髪をクランプし、引き抜くクランプユニットを含む、脱毛器が提供され、クランプユニットは、毛髪を捕捉する方向に沿って駆動運動するように配置され、クランプユニットはクランプ区分及び少なくとも翼状区分を有する可動（第１）クランプ要素を含み、クランプ区分はクランプ面を有し、翼状区分はガイド面を有し、このガイド面は、少なくとも毛髪を捕捉する方向に対してクランプ面から外側に傾いており、固定（第２）クランプ要素はクランプ区分、及び少なくとも翼状区分を有し、クランプ区分はクランプ面を有し、翼状区分はガイド面を有し、このガイド面は、少なくとも毛髪を捕捉する方向に対してクランプ面から外側に傾いており、クランプユニットは、毛髪を受容する、毛髪を捕捉する方向と垂直な幅方向に最小幅を有する隙間が、可動クランプ要素のクランプ面、及び固定クランプ要素のクランプ面との間に延びる開位置と、可動クランプ要素のクランプ面と、固定クランプ要素のクランプ面が少なくともクランプ線に沿って互いに当接する閉位置との間で周期的に移動するように配置され、可動クランプ要素のガイド面は、毛髪を隙間の方に案内する漏斗形状の第１の側を画定し、固定クランプ要素のガイド面は漏斗形状の第２の側を画定し、毛髪を捕捉する方向に垂直な幅方向で測定された固定クランプ要素の毛髪ガイド面の幅は、可動クランプ要素の毛髪ガイド面の対応する幅よりも大きい。
【００１６】
１つの態様によると、固定クランプ要素の毛髪ガイド面の幅が、可動クランプ要素の毛髪ガイド面の幅、及び開位置における隙間幅との合計とほぼ同じ大きさであるように提供される。
【００１７】
１つの態様によると、クランプ要素は、仮想筒形シリンダの表面上に存在する外側表面を有するように提供される。
【００１８】
１つの態様によると、クランプユニットは、回転軸を中心として回転するクランプシリンダ上に配置され、可動クランプ要素は、毛髪を捕捉する方向に垂直な方向に、又は回転軸に平行な方向に可動であるように提供される。
【００１９】
１つの態様によると、クランプユニットが毛髪を捕捉する合計有効幅は２ｍｍ〜７ｍｍであり、これは、クランプユニット内の隣接する両方の翼状区分の幅、及び開位置にある際の両方のクランプ区分の間の隙間幅との合計であるように提供される。
【００２０】
１つの態様によると、長手方向シリンダ軸を中心として回転するように配置されたクランプシリンダを含む脱毛器が提供され、少なくとも１つのクランプユニットが毛髪をクランプし、引き抜くためにクランプシリンダ上に提供され、クランプユニットは毛髪を捕捉する方向に沿って駆動運動するように配置され、クランプシリンダの表面部分は、０．０５ｍｍ〜０．５ｍｍの半径方向高さ伸張部分を備える毛髪を起こす構造体を備える。
【００２１】
１つの態様によると、毛髪を起こす構造体は、クランプシリンダ周辺部の回転方向に沿って、長手方向シリンダ軸に垂直な方向においてよりも、長手方向シリンダ軸に平行な方向においてより大きい伸張部分を有するように提供される。
【００２２】
１つの態様によると、長手方向シリンダ軸を中心として回転するように配置されたクランプシリンダを含む脱毛器が提供され、少なくとも１つのクランプユニットが毛髪をクランプし、引き抜くためにクランプシリンダ上に提供され、クランプユニットは、毛髪を捕捉する方向に沿って、駆動運動するように配置され、クランプシリンダの表面部分には毛髪を起こす表面を備え、毛髪を起こす表面は、エストラマー軟質材料によって製造され、クランプシリンダは射出成形済み硬質−軟質ポリマー材料を含む。硬質ポリマークランプシリンダベースに２成分の射出成形エラストマー成分を提供することにより、容易にクランプシリンダ製造することができることとクランプシリンダの強度及び毛髪を起こす要件も備えることを良好に両立させる。
【図面の簡単な説明】
【００２３】
本開示は、例示的実施形態の詳細な説明及び図面の参照により、更に明瞭にされる。
【図１】取り付け具及びハウジング区分を含む脱毛器の全体的な図。
【図２】取り外された状態の、図１に図示された取り付け部の図。
【図３Ａ】本開示の少なくとも１つの態様による、クランプシリンダの例示的実施形態の図。
【図３Ｂ】本開示の少なくとも１つの態様による、クランプシリンダの一部分の拡大図の例示的実施形態の図。
【図４Ａ】開位置にある、本明細書の少なくとも１つの態様による、クランプユニットの例示的実施形態の概略図。
【図４Ｂ】閉位置にある、図４Ａで図示されたクランプユニットの図。
【図５Ａ】開位置にある、図示された本明細書の少なくとも１つの態様による、クランプユニットの別の例示的実施形態の概略図。
【図５Ｂ】閉位置にある、図５Ａに図示されたクランプユニットの図。
【図６】長手方向のシリンダ軸と垂直な平面で切り取られたクランプシリンダの断面図。
【発明を実施するための形態】
【００２４】
本開示の任意の態様による、脱毛器の取り付け具又は脱毛器は、特に、その上に少なくとも１つのクランプユニットが配置されるキャリア（例えば、クランプシリンダ又はクランプディスク）を含み得、このクランプユニットは２つのクランプ要素を含み、少なくとも一方のクランプ要素が可動クランプ要素であり、他方のクランプ要素はまた可動クランプ要素又は固定クランプ要素のうちのいずれかである。クランプユニットは、クランプシリンダから突出するクランプシリンダの周辺部の別個の部分を形成する。クランプユニット（すなわちキャリア−例えば、クランプシリンダ）は、毛髪を捕捉する方向に沿って駆動運動するように配置されてもよい。各クランプ要素は、クランプ面を有するクランプ区分を有する。クランプユニットのクランプ要素は、毛髪が隙間に送り込まれ得るように、最小隙間幅を有する自由隙間が、クランプ要素のクランプ面の間に延びる開位置（すなわち、クランプ面は向かい合って配置される）と、クランプ面が少なくともクランプ線に沿って互いに当接する（下記に更に記載されるように、クランプ面はまた層状で互いに当接し得る）閉位置との間を周期的に移動するように配置される。閉位置にあるクランプ面間にクランプされた毛髪は、クランプユニットが閉位置のままで、ユーザの皮膚に対して毛髪を捕捉する方向に沿って移動し続けたときに、最終的に皮膚から引き抜かれる。クランプ要素はそれぞれ、特に、クランプ面が配置されるクランプ区分、及び毛髪を捕捉する方向に対してクランプユニットの前部に配置され、その上をガイド面が配置される翼状区分を含んでもよい。翼状区分は、毛髪を捕捉する方向に対し、クランプ区分から外側に傾く角度を有し、これにより、クランプユニットが開位置にあるとき、及びクランプユニットが閉じつつあるとき、すなわち、隙間が閉じる前にガイド面によって、狭まりつつある隙間内に毛髪が案内されるとき（すなわち、隙間が小さすぎて毛髪が隙間に送達されなくなるまで）、クランプ面の間に延びる隙間に向かって毛髪を案内するように、クランプユニットの２つのクランプ要素の翼状区分のガイド面それぞれが、漏斗形状の一方の側を形成する。漏斗形状の、２つのこのように形成される側部はそれぞれ、毛髪を捕捉する方向と垂直な方向の幅方向で測定される幅を有し（幅方向はまた、閉位置におけるクランプ面とも本質的に垂直である）、特に、本開示の少なくとも１つの態様により、クランプユニットは、可動クランプ要素及び固定クランプ要素を備え、可動クランプ要素のガイド面の幅は、固定クランプ要素のガイド面の幅よりも小さい。一部の実施形態では、固定クランプ要素のガイド面の幅はひいては、可動クランプ要素のガイド面の幅と、開位置における隙間幅の合計とほぼ同じ程度の大きさであるように選択されてもよい。
【００２５】
本開示の少なくとも一態様による、脱毛器の取り付け具又は脱毛器の、一部の実施形態では、複数のクランプユニットは、長手方向中央軸を中心に駆動運動するように配置されたクランプシリンダ上に配置される。したがって、クランプユニットは、回転軸を中心として回転するクランプシリンダ上に配置され、可動クランプ要素は、毛髪を捕捉する方向に垂直な方向に、又は言い換えれば回転軸（クランプシリンダ長手方向中央軸と同じ軸である）に平行な方向に可動である。幅方向は、ひいては長手方向シリンダ軸に対して平行である。クランプユニットはひいては、開位置におけるクランプユニットの隙間が長手シリンダ方向で重複しないように、すなわち、複数のクランプユニットの全ての隙間幅の合計が、クランプシリンダの有効幅（クランプシリンダが脱毛を行う幅）の１００％未満、特に９０％未満、８０％未満、７０％未満、又は６５％未満を占めるように配置されてもよい。したがって、全てのクランプユニットのクランプ区分の間の全ての隙間の合計は、クランプシリンダの全幅よりも小さい。複数のクランプユニットのそれぞれが、クランプユニットの前方に形成された漏斗形状を有する一部の実施形態では、全てのクランプユニットの全ての漏斗形状の全幅の合計は、クランプシリンダの有効幅の１００％超、特に２００％超、又は３００％超を占める。したがって、より小さなクランプ隙間／クランプユニットがもたらされるにもかかわらず、高い除毛効率性が達成される。
【００２６】
本発明の少なくとも１つの態様による脱毛器の取り付け具又は脱毛器の、一部の実施形態において、２つのクランプ要素を含む少なくとも１つのクランプユニットが、クランプシリンダ上に配置され、クランプユニットの閉位置において２つのクランプ要素が互いに当接する長さは、クランプシリンダの筒形シリンダの周辺部の約８％〜１２％の範囲であり、特に、約８．５％〜約１０．５％の範囲、更に特に約１０％の値を有する。
【００２７】
本開示の少なくとも一態様による、脱毛器の取り付け具又は脱毛器の、一部の実施形態では、キャリア（例えば、クランプシリンダ、又はクランプディスク）は、通常の動作中にユーザの皮膚と接触することを意図されない、下方に位置する表面を有し、この下方に位置する表面は、微視的又は巨視的質感を有するか、又はキャリアが作製されるベース材料と毛髪との間の摩擦と比較して、毛髪とより高い摩擦を生じる、摩擦向上材料の表面コーティング又は表面層を有する。巨視的質感は特に、長手シリンダ方向に延びるリッジとして実現されてもよく、このリッジは約０．０２ｍｍ〜約２．０ｍｍの範囲の高さ、特に、約０．０５ｍｍ〜０．５ｍｍ、更に特に約０．１ｍｍの値を有してもよい。加えて、リッジ間の円周距離は、０．２ｍｍ〜約２．０ｍｍの範囲であってもよい。微視的質感は特に、例えば、グラスファイバ、又はセラミック粒子など、ベース材料中の充填剤料によって実現され得る、一定の粗さによって達成され得る。
【００２８】
本開示の少なくとも一態様による、脱毛器の取り付け具又は脱毛器の、一部の実施形態において、少なくとも１つのクランプユニットがキャリア（例えば、クランプシリンダ、又はクランプディスク）上に配置され、このクランプユニットは、クランプ面を有するクランプ区分、及びガイド面を有する翼状区分を有するクランプ要素を有し、このガイド面はクランプ面から外側に傾いており（すなわち、翼状区分はクランプ区分から外側に傾く）、ガイド面は三次元形状を有し、すなわち、ガイド面はデカルト座標系の平面内に存在しない。
【００２９】
本開示の少なくとも一態様による、脱毛器の取り付け具又は脱毛器の、一部の実施形態では、少なくともクランプユニットが、キャリア（例えば、クランプシリンダ、又はクランプディスク）上に配置され、このクランプユニットはクランプ区分及び翼状区分を有する可動クランプ要素を有し、翼状区分は、可撓性であるか、又はクランプ区分においてヒンジ留めされ、翼状区分は非制限の値である既定値でクランプ区分から外側に傾くように予負荷を受け、翼状区分がクランプ区分から傾く角度は、予負荷に対向してかかる力によって修正することができる（特に減らされる）。特に、予負荷に対向してかかる力は、クランプユニットが開位置にあるときに、翼状区分の自由端が当接する固定壁要素によって提供され得、翼状区分がクランプ区分から傾く角度が修正される（特に、増加する）ように可動クランプ要素が移動する際に、翼状区分の自由端がその移動の少なくとも一部にわたって、この固定壁要素に沿って摺動する。
【００３０】
図１は、取り外し可能な取り付け具１０、及びユーザの手が把持し得るハウジング区分２０を有する、脱毛器１の例示的実施形態の図である。ハウジング区分２０は、オン／オフスイッチ２１（これは、異なる速度設定の間をスイッチするのにも使用され得る）、及び／又は、例えば熱可塑性エラストマー又は天然ゴムなどの、（特定の構造の）摩擦向上材料から作製され得る把持領域２２を含み得る。ハウジング区分はまた、駆動及び／又はエネルギー源（例えば、アキュムレータ）を含み得る。図示された実施形態において、取り付け具１０は、複数のクランプユニット１２を有するクランプシリンダ１１を含む。クランプシリンダ１１は、中央軸Ａ（すなわち、長手方向シリンダ軸）を中心として駆動運動するように配置され、これにより、クランプユニット１２は毛髪を捕捉する方向Ｄに沿って移動する。取り付け具１０は、開口部１４を有する取り外し可能なキャップユニット１３を含んでもよく、開口部１４を通じてユーザの皮膚に接触するようにクランプシリンダ１１が延びている。開口部１４は、長手シリンダ方向で測定される、クランプシリンダ１１の有効幅Ｅを画定し、これは、動作中に脱毛器が毛髪をクランプし、引き抜くことができる幅である。ユーザは典型的には、毛髪を捕捉する方向Ｄと一致する、移動方向Ｍに沿って、皮膚上で脱毛器を移動させる。以下に更に詳細に説明されるように、クランプユニット１２のそれぞれは、少なくとも一方のクランプ要素が可動に配置される２つのクランプ要素を含む。クランプ要素は、毛髪がクランプ要素のクランプ面間に延びるような隙間内に入り得るような開位置と、クランプ面が少なくともクランプ線に沿って互いに当接する閉位置との間を周期的に移動するように配置される。一般的に知られているように、閉位置にあるクランプユニットによってクランプされた毛髪は、クランプユニットが閉位置のまま、毛髪を捕捉する方向Ｄに沿って移動し続けるときに、最終的に皮膚から引き抜かれる。欧州特許第１  ７９６  ５０１号（Ｂ１）は、複数のクランプユニットを備えたクランプシリンダを有する脱毛器について概ね記載しており、この明細書の内容は、参照により本明細書に組み込まれる。
【００３１】
図１及び下記の例示的実施形態において、脱毛器又は脱毛器の取り付け具は、クランプユニットを運ぶクランプシリンダを有し、このクランプユニットは、毛髪を捕捉する方向に沿って駆動されるように配置された任意の他のキャリアで配置されてもよいことが記載されている。例えば、クランプユニットは、その中央軸を中心として駆動回転するように配置されているディスクに提供されてもよい。
【００３２】
図２は、取り外された状態で図示された脱毛器のための取り付け具１０の例示的実施形態であり、この取り付け具１０は、図１に関して記載される取り付け具によるものである。ここでは脱毛器の取り付け具が取り外し可能であることが示されているが、取り付け具について記載された機構はまた、取り外し可能な取り付け具を有しない（すなわち、クランプユニットが脱毛器のキャリア（例えば、クランプシリンダ）に配置される）脱毛器で実現され得ることを除外するものではない。
【００３３】
図１及び図２の脱毛器及び取り付け具の両方は、（滑らない）摩擦表面２３を備えた低い高さの表面を備えたクランプシリンダを含み、この摩擦表面は、エラストマーコーティング又は増加された表面粗さのいずれかによって作製されている。
【００３４】
図３Ａは、斜視図で示されたクランプシリンダ３０の例示的実施形態を示す。複数のクランプユニット３１は、クランプシリンダ３０上に配置されている。各クランプユニット３１は、固定クランプ要素３２及び可動クランプ要素３３を含む。固定クランプ要素３２は、クランプシリンダベース材料と一体型に作製されてもよく、例えば、固定クランプユニットは可塑性材料から作製されてもよく、及び可塑性射出成形プロセスによってクランプシリンダの一部と共に製造されてもよい。以前に言及されているように、クランプ要素３２、３３は、毛髪が隙間に入ることができるように隙間３４がクランプ要素の間に延びる開位置と、クランプ要素が互いに当接し、よって隙間内に入った毛髪をクランプする閉位置との間で周期的に移動するように配置されている。可動又は固定クランプ要素の一方の少なくとも１つの翼区分が、最外弧状部分を含む。可動クランプ要素又は固定クランプ要素の少なくとも一方のクランプ区分もまた、最外弧状部分を含む。したがって、クランプ要素３２、３３は、本質的に筒形シリンダの表面上に位置する、外側表面３２Ａ、３３Ａを有する。外側表面３２Ａ、３３Ａは、動作中にユーザの皮膚と接触することを意図されている。示される例示的実施形態において、クランプシリンダ表面のより低い高さ（図６を参照して、すなわち、筒形シリンダの下の、クランプシリンダの高さ上で）において、長手シリンダ方向に延びる、規則的なパターンのリッジ３６が提供される。一部の実施形態では、筒形シリンダは、約１９ｍｍの直径を有してもよく、低い高さの表面（すなわち、リッジの頂部により画定される表面）により画定されるシリンダは、約１７ｍｍの直径を有してもよい。一部の実施形態では、リッジは約０．０５ｍｍ〜０．５ｍｍ、又は例えば０．１ｍｍの高さを有してもよい。リッジ（又は同様の構造）の形状及び機能が以下で更に詳細に記載されるが、リッジとして示されるこのような構造は、皮膚の近くある毛髪を起こすために役立つ。クランプシリンダ３０は、取り付け具に設けられる対応するベアリングが支持し得る軸３９を含み、これによりクランプシリンダ３０がその中央軸Ｃを中心として回転方向Ｒに回転できるようになる。ばね３８は、クランプシリンダ部を一緒に圧迫し、閉位置においてクランプ要素を一緒に圧迫するためのクランプ力をもたらす。クランプシリンダ３０はまた、追加の歯車と係合するために設けられた、少なくとも１つの歯車３７を含んでもよく、この追加の歯車は動作中に駆動されてもよく、この追加の歯車は、ハウジング区分の一部であってもよい。
【００３５】
図３Ａに示されるクランプシリンダの例示的実施形態は、複数のクランプ要素を有するが、本開示により、クランプシリンダが少なくとも１つのクランプユニットを有することで十分であることに留意する。２つ以上のクランプユニットの場合において、クランプユニットはそれぞれ異なっていてもよく、例えば、１つのクランプユニットが固定クランプ要素及び可動クランプ要素を含んでもよく、別のクランプユニットが２つの可動クランプユニットを含んでもよいことに留意する。例示的実施形態に関して示され、記載される全ての機構は、この組み合わせにおいてのみ開示される必要は必ずしもなく、本開示の趣旨及び範囲を逸脱することなく分離され得る全ての機構は、他の全ての機構から別個に開示されるものと考えるべきであることに概ね留意する。例えば、図３Ａに関連して記載されるクランプシリンダ上に提供されるリッジは、任意の機構であり得るばかりでなく、実際に本開示の別個の態様であるものとみなされ得る。
【００３６】
一般的に脱毛シリンダは、摩擦増加された低い高さの表面を備えていてもよく、この（毛髪に対する）摩擦強化は、巨視的な構造（例えば、図３Ａにて図示及び記載されたリッジ）によって、又は微視的な構造（例えば、一定の粗さ）によって達成されてもよく、又はクランプシリンダの作製に使用される可塑性材料を使った場合と比べて、毛髪との摩擦を増加（例えば、ケラチンフィラメント）させる材料選択によって達成されることに留意する。例えば、クランプシリンダの低い高さの表面は、人工ゴムのコーティングを有してもよい。低い高さの表面の摩擦強化は、皮膚に近くで横たわっている位置から立ち上がる毛髪の量を潜在的に増加させることが見出された。皮膚付近に横たわる毛髪は、皮膚表面の上にわずかに一定の高度を有する。低い高さの表面は、このように、良好な毛髪を起こす有効性を提供するために約０．２５ｍｍ〜約３．０ｍｍの、特に約０．５ｍｍ〜１．５ｍｍの典型的な値で筒形シリンダから引っ込んでいる。更に毛髪を起こすことにより、脱毛器の効率性は増加するであろう。脱毛器の低い高さの表面の増加された摩擦は、クランプシリンダのベース材料内で実現されている微視的又は巨視的な構造によって、又は異なる材料で被覆されている低い高さの表面のコーティング又は層によって提供されており、この機構は、本開示の独立した態様として考えられているが、この機構はまた、本開示の全ての他の機構と併用されてもよい。
【００３７】
図３Ｂは、図３Ａのクランプシリンダと同様の、クランプシリンダの一部分を示す。図３Ｂの拡大図は、この実施例では、クランプシリンダ３０の低い高さ部分上に平坦な高い部分を交互に有する溝として提供され得るリッジ３６を図示する。これは、表面構造に射出成型された規則的な繰り返しパターンである。リッジ３６は長手方向シリンダ軸Ｃ（図３Ａに図示）に対して平行に延びる。
【００３８】
図４Ａは、開位置にある、概略的に図示されたクランプユニット１００の例示的実施形態を図示し、このクランプユニット１００は、図３Ａに示されるようにクランプシリンダ上に配置されてもよい。クランプユニットは、可動クランプ要素１１０及びこれと向かい合って配置された固定クランプ要素１２０を有する。可動クランプ要素１１０は、ステンレス鋼シート材料などの金属シートから作製されてもよいが、可動クランプ要素は、プラスチック又は強化プラスチックなどの他の材料から作製されてもよいことを除外すべきではない。固定クランプ要素１２０は、クランプシリンダの少なくとも一部である一体化部分でもよく、可塑性材料から（例えば、可塑性射出成形プロセスによって）作製されてもよく、特に、グラスファイバ又はセラミック粒子などの充填物質によって強化された可塑性材料から作製されてもよい。
【００３９】
可動クランプ要素１１０は、クランプ区分１１１及び翼状区分１１２を有する。クランプ区分１１１は、長さＬ１を有する長さ方向Ｌに延び、及びクランプ面１１３を有する。長さ方向Ｌは、動作中にクランプユニット１００を移動する方向に沿った毛髪を捕捉する方向と一致する（図１の参照番号Ｄを参照のこと）。固定クランプ要素１２０は、クランプ区分１２１及び翼状区分１２２を有する。クランプ区分１２１は、長さＬ１を備える長さ方向Ｌに延び、可動クランプ要素１１０のクランプ面１１３に面するクランプ面１２３を有する。２つの対向して配置されたクランプ要素１１０、１２０の位置は、閉位置（図４Ｂ）において、有効クランプ長さはまた、Ｌ１になるような長さ方向Ｌと一致する。図４Ａに示される開位置において、隙間１３０は、可動クランプ要素１１０のクランプ面１１３及び固定クランプ要素１２０のクランプ面１２３の間を延びる。隙間１３０は、開位置において、幅方向Ｗに最小隙間幅Ｗ２を有する（幅方向Ｗは長さ方向Ｌに垂直であり、すなわち幅方向は毛髪を捕捉する方向に垂直である）。クランプ区分１１１、１２１は、開位置において必ずしも互いに平行でなくてもよいので、最小隙間幅Ｗ２は、隙間伸張部分全体にわたって同じでなくてもよい。最小隙間幅Ｗ２は、毛髪が隙間に入り得るような大きさである。典型的な人間の毛髪の直径は、８０μｍ±４０μｍの範囲内であり得、隙間幅Ｗ２は約０．１ｍｍ〜約２．０ｍｍの範囲内で、特に約０．４ｍｍ〜約１．４ｍｍの範囲内であってもよい。一部の実施形態では、最小隙間幅Ｗ２は約０．６ｍｍであってもよい。
【００４０】
固定クランプ要素１２０の翼状区分１２２は、クランプ区分１２１のクランプ面１２３から外側に角度１２５だけ傾くガイド面１２４を含み、これにより漏斗形状の第１の側がクランプユニット１００の前方側部１０１が形成される。クランプユニット１００の前方側部１０１は、クランプユニット１００が、（本明細書内では長さ方向Ｌと一致する）毛髪を捕捉する方向に沿って移動するときに、動作中そこから毛髪がクランプユニット１００に近づく側である。翼状区分１２２のガイド面１２４は、長さＬ２にわたって長さ方向Ｌに延び、及び幅Ｗ３にわたって幅方向Ｗに延びる。可動クランプ要素１１０の翼状区分１１２は、クランプ区分１１１のクランプ面１１３から外側に角度１１５で傾くガイド面１１４を有することにより、漏斗形状の第２の側を形成する。翼状区分１１２のガイド面１１４は、長さＬ３にわたって長さ方向Ｌに延び、及び幅Ｗ１にわたって幅方向Ｗに延びる。したがって、クランプユニット１００が毛髪を捕捉し、ひいては引っ張り得る合計有効幅Ｗ４は、翼状区分１１２及び１２２の幅と、隙間幅Ｗ２との合計によって求められる（Ｗ４＝Ｗ１＋Ｗ２＋Ｗ３）。クランプユニットが毛髪を捕捉する合計有効幅は、２ｍｍ〜７ｍｍであってもよく、これはクランプユニット内の隣接する両方の翼状区分の幅、及び開位置にある両方のクランプ区分の間の隙間幅との合計である。
【００４１】
一般的に既知であるように、可動クランプ要素１２０はバネ荷重式であってもよく、クランプユニット１００は、それぞれの作動装置が２つのクランプ要素１１０、１２０を互いに向かい合わせに推進しない限り、開位置にあるようになっている。
【００４２】
動作中、クランプユニット１００はユーザの皮膚に対して、皮膚上で成長する毛髪が、クランプユニット１００の前方側部１０１からクランプユニット１００に近づき、ガイド面１１４及び１２４によって隙間１３０内に案内されるように移動し、この隙間は、クランプ面１１３及び１２３が互いに圧迫されるまで閉鎖され、これにより、隙間１３０内の毛髪は次にクランプされ、最終的にクランプユニット１００とユーザの皮膚との間の相対運動により皮膚から引き抜かれる。クランプユニット１００とユーザの皮膚との間の相対運動は、典型的には２つの成分を有する。例えば、クランプシリンダを回転させることにより、クランプユニット１００に動力を与える脱毛器の駆動によりもたらされる、通常、より速い成分、及び手動により皮膚上で脱毛器を動かすことでユーザによりもたらされる運動によって付与される、通常、より遅い成分。クランプシリンダは、約５００ｒｐｍ〜約５０００ｒｐｍの範囲、特に、約１０００ｒｐｍ〜約２５００ｒｐｍの範囲にある、毎分回転数（ｒｐｍ）で駆動され得る。一部の実施形態では、クランプシリンダは、約１３００ｒｐｍ〜約１９００ｒｐｍの範囲内で回転し得る。
【００４３】
一部の実施形態では、固定クランプ要素１２０のガイド面１２４が幅方向Ｗに延びる幅Ｗ３は、漏斗形状の第１の側の外側縁部にて捕捉された毛髪を、クランプユニットによって引っ張られた状態にすることができる値に設定されてもよい。この値は、特に、脱毛される典型的な毛髪長さ及び脱毛事象間の典型的期間に依存してもよい。人間の皮膚で成長する毛髪の典型的な成長長さは、約０．２ｍｍ／日である。脱毛事象間の典型的期間は、２週間、すなわち１４日間であり得、これにより毛髪は各脱毛事象の間に２．８ｍｍ成長する。脱毛の間、皮膚から引き抜かれない一部の毛髪は典型的には、皮膚表面下約０．５〜１．０ｍｍで破断しており、よって、破断している毛髪の皮膚上の長さは、およそ１．８ｍｍ〜２．３ｍｍの範囲であり得る（毛根の少なくとも一部と一緒に引き抜かれる毛髪は、まず毛根が再形成される必要があるために、伸びるまで一定の期間を必要とする）。毛髪の一定の長さが、信頼できる脱毛のために、クランプユニットの隙間に延びる必要があると仮定すれば、固定クランプ要素のガイド面の幅Ｗ３のための典型的な値は、したがって約０．４ｍｍ〜約２．０ｍｍの範囲内であってもよい。可動クランプ要素１１０は固定クランプ要素１２０に移動するので、漏斗形状の第２の側の有効幅は、隙間幅Ｗ２、及び可動クランプ要素１１０のガイド面１１４の幅Ｗ１との合計によって決定される。したがって、漏斗形状の幅を対称に設定するためには、Ｗ１を、Ｗ３からＷ２を引いたものとすることを必要とする（Ｗ１＝Ｗ３−Ｗ２）。これは、対称なガイド効率性のため、翼状区分は非対称に実現されてもよいことを意味し、例えば、可動クランプ要素１１０の翼状区分１１２のガイド面１１４は、固定クランプ要素１２０の翼状区分１２２のガイド面１２４の幅Ｗ３と比較して、より短い幅Ｗ１を有してもよい。言い換えるならば、固定クランプユニットは、可動クランプユニットの翼状区分より長い及び／又はより幅のある伸張部分の翼状区分を含む。
【００４４】
一部の実施形態では、固定クランプ要素１２０の翼状区分１２２のガイド面１２４の長さＬ２は約２ｍｍ〜約８ｍｍの範囲内であってもよく、対応する幅Ｗ３は約０．５〜約３．０ｍｍの範囲内であってもよい。一部の実施形態では、長さＬ２は約５ｍｍであってもよい。いくつかの実施形態において、幅Ｗ３は約１．５ｍｍであってもよく、これは２週間後の上記の途切れた毛髪の長さを適切に考慮した値としてみなすことができ、よって、典型的な毛髪長さに基づいて適合された高い効率性をもたらすことができる。より幅の広いＷ３は、毛髪が長い場合（例えば、より長い期間が脱毛事象間に介在する場合）、効率性を更に向上させることできるが、より幅の広いＷ３はまた、クランプユニットが配置されたキャリア（例えば、クランプシリンダ）上により利用可能な空間を必要とする。一部の実施形態では、可動クランプ要素１１０の翼状区分１１２のガイド面１１４の長さＬ３は、約０．１ｍｍ〜約４．０ｍｍの範囲内であってよく、幅Ｗ１は約０．１ｍｍ〜約２．０ｍｍの範囲内であってもよい。一部の実施形態では、長さＬ３は、約２ｍｍであってもよい。一部の実施形態では、幅Ｗ１は、約０．８ｍｍであってもよい。
【００４５】
一部の実施形態において、可動クランプ要素１１０のクランプ面１１３と、可動クランプ要素１１０の翼状区分１１２のガイド面１１４との間の角度１１５、及び／又は固定クランプ要素１２０のクランプ面１２３と、固定クランプ要素１２０の翼状区分１２２のガイド面１２４との間の角度１２５は、約５°〜約４５°の範囲、特に約１０°〜約３０°の範囲であり得る。一部の実施形態では、対応する角度１１５、１２５は異なることがあり得、特に角度１１５は角度１２５よりも大きいことがあり得る。一部の実施形態では、可動クランプ要素１１０のクランプ面１１３と可動クランプ要素１１０の翼状区分１１２のガイド面１１４との間の角度１１５は、約２２．５°であり得る。一部の実施形態では、固定クランプ要素１２０のクランプ面１２３と固定クランプ要素１２０の翼状区分１２２のガイド面１２４との間の角度１２５は、約１６°であり得る。
【００４６】
一部の実施形態では、代替的に、又は追加的に、固定クランプ要素１２０のガイド面１２４が幅方向Ｗに延びる幅Ｗ３は、最小隙間幅Ｗ２、及び可動クランプ要素１１０の翼状区分１１２のガイド面１１４の幅Ｗ１との和とほぼ同じであり（Ｗ３≒Ｗ１＋Ｗ２）、特にＷ３とＷ２＋Ｗ１との差は１０％以下であり、任意により５％以下であり、更にまた特に、Ｗ３はＷ１＋Ｗ２と等しい（Ｗ３＝Ｗ１＋Ｗ２）。
【００４７】
図４Ｂは、図４Ａでは開位置にあるクランプユニット１００を、閉位置にある状態で、概略的に示す。閉位置に到達するために、可動クランプ要素１１０は、図４Ａに示されるように、ほぼ閉鎖方向Ｍに沿って、固定クランプ要素１２０の方へと移動し、これにより、閉位置において、可動クランプ要素１１０のクランプ面１１３は、少なくともクランプ線に沿って固定クランプ要素１２０のクランプ面１２３に当接し、任意によりクランプ面１１３、１２３は、層状に互いに当接する。クランプ面は、クランプ線に沿って互いに当接するだけで十分であり得るが、クランプ線に沿って高い圧力が存在し得、この高い圧力のために引き抜く手順の間に毛髪が切れることがあり得、又は破断することがあり得る。したがって、層状のクランプ領域は、切れるか、破断する毛髪の数を低減させる傾向を有し得る。
【００４８】
有効毛髪捕捉領域Ａが画定されてもよく、これは、クランプユニットにより毛髪がクランプされる領域であり、より大きな領域から隙間へと毛髪を案内し得るガイド面の効果は無視するものとする。有効毛髪捕捉領域Ａはひいては、クランプユニットのクランプ長さｌ、クランプユニットのクランプ要素が閉じる閉鎖速度ｃ、隙間幅ｄ、及びクランプユニットが皮膚に対して移動する速度ｖに依存し、したがってＡ＝ｄ（ｌ−１／２ｖ・ｄ／ｃ）である。典型的な閉鎖速度ｃは、約０．７ｍ／ｓ〜約１．３ｍ／ｓの範囲、特に約１ｍ／ｓであり得る。したがって、先行技術の装置において既知の、典型的な４．０ｍｍのクランプ長さ、０．９ｍｍの隙間幅、及び２０００ｍｍ／ｓの移動速度での、閉鎖速度１０００ｍｍ2／ｓの閉鎖時間に対する有効毛髪捕捉領域は、２７９０ｍｍ／ｓである。クランプユニット及び脱毛器のパラメーターが、閉鎖時間に対する有効毛髪捕捉領域が、少なくとも３５００ｍｍ2／ｓ、又は少なくとも４０００ｍｍ2／ｓ、又は少なくとも４５００ｍｍ2／ｓであるように選択されると、全体的な脱毛効率性が向上する。
【００４９】
図５Ａは、少なくとも本開示の一態様による、脱毛器のクランプユニット２００の概略図であり、このクランプユニット２００は開位置にあるものとして示される。クランプユニット２００は、可動クランプ要素２１０、及び固定クランプ要素２２０を含む。図４Ａ及び図４Ｂに示されるクランプユニット１００と同様に、可動クランプ要素はクランプ区分２１１及び翼状区分２１２を含み、クランプ区分２１１はクランプ面２１３を有し、翼状区分２１２はクランプ面２１３から外側へと角度２１５で傾くガイド面２１４を有する。したがって、固定クランプ要素２２０はクランプ区分２２１及び翼状区分２２２を含み、クランプ区分２２１はクランプ面２２３を有し、翼状区分２２２はクランプ面２２３から外側へと角度２２５で傾くガイド面２２４を有する。クランプ面２１３及び２２３は、本質的に互いに反対に配置され、開位置において、毛髪を受容するような大きさの隙間２３０により分離される。示される例示的実施形態において、可動クランプ要素２１０の翼状区分２１２は、ヒンジ２１９によりクランプ区分２１１にヒンジ留めされ、翼状区分２１１はストッパ要素２４０と接触する自由端２１６を有する。ヒンジ２１９は、クランプ区分２１１と、翼状区分２１２との間に配置される弾性材料により実現され得、両区分とも金属シート材料から作製され得る。翼状区分２１２は予負荷Ｆを受け、無調整の状態でガイド面２１４が、クランプ面２１３から外側に傾く角度は、図５Ａに示される角度２１５よりも大きくなっており、この角度２１５は翼状区分２１２が予負荷Ｆの存在下において移動するように制約を与える、ストッパ要素２４０の相対位置により決定される。矢印Ｎにより示されるように、可動クランプ要素２１０は、固定クランプ要素２２０の方へと移動されて、図５Ｂに示される閉位置を達成する。可動クランプ要素２１０が方向Ｎに沿って移動するとき、可動クランプ要素２１０の翼状区分２１２の自由端２１６は、予負荷Ｆがかかっているために、ストッパ要素２４０と接触したままであり、方向Ｐに沿って移動する。
【００５０】
図５Ｂは、図５Ａに示されるクランプユニット２００の閉位置を概略的に示す。閉位置において、可動クランプ要素２１０のクランプ面２１３、及び固定クランプ要素２２０のクランプ面２２３は、少なくともクランプ線に沿って互いに当接する。閉位置において、可動クランプ要素２１０の翼状区分２１２のガイド面２１４は、クランプ面２１３から外側に角度２１５Ａで傾いており、この角度は、図５Ａにおいて開位置にある対応する表面が有する角度２１よりも大きい。
【００５１】
クランプユニットが閉じている際に翼状区分のガイド面の幅が増加するように、予負荷を受けた可動クランプ要素の翼状区分を提供することは、本開示の別個の態様としてみなされるが、この機構が本開示において記載される他の全ての機構と組み合わせ得ることを排除するものではないことに留意する。
【００５２】
一部の実施形態では、図４Ａ又は図５Ａに示される複数の４０のクランプユニットが、図３Ａに示されるクランプシリンダ上に配置されてもよい。クランプシリンダは、３１．９ｍｍの有効クランプ幅を有し得るが、各クランプユニットの隙間幅は、０．６ｍｍであり得、各クランプユニットの合計漏斗形状幅は、約２．６ｍｍであり得る。クランプユニットの隙間は、これらが、長手方向シリンダ軸方向で重複しないように、クランプシリンダ上に配置されることを想定し、合計隙間幅（すなわち、各０．６ｍｍである４０の隙間幅全ての和）は２４ｍｍであり、これは、クランプシリンダが約６１％の隙間カバー範囲を有することを意味する。他方で、全てのクランプユニットの合計の漏斗形状の幅は１０４ｍｍであり、これはクランプシリンダが、漏斗形状により約３２６％が占められていることを意味する。換言すると、皮膚上で成長するそれぞれの毛髪はクランプシリンダ一回転ごとに、３つを超えるクランプユニットによりクランプされ得、引き抜かれることがある。脱毛シリンダの隙間カバー範囲は、１００％未満であるが、漏斗形状のカバー範囲は１００％超であることが、本開示の一般的態様としてみなされる。特に、隙間のカバー範囲は、約２０％〜約９５％（特に、約５０％〜約８０％）の範囲であり得、追加的に又は代替的に、漏斗形状カバー範囲は、約１０５％〜約５００％の範囲であり得る（特に、約１５０％〜約４５０％、及び更に任意により、より低い漏斗形状カバー範囲の値は少なくとも２００％又は更に少なくとも３００％であり得る）。長手方向シリンダ軸方向におけるクランプユニットの間の距離が隙間幅よりも大きく（特に、この距離は隙間幅よりも少なくとも２５％大きく、又は更に特に、この距離は隙間幅よりも少なくとも３０％大きい）、かつ任意により追加的に、各クランプユニットが、クランプシリンダの周囲において異なる角度位置を有するようなクランプユニットの周囲構成を備えることが（例えば、４０のクランプユニットの場合、クランプユニット間の角度距離は９°であり得る）、クランプユニットの大きな漏斗形状幅を実現するために十分な空間をもたらす上で役に立つことが見出された。
【００５３】
図６は、クランプシリンダ３００の例示的実施形態の断面図であり、この断面図は、長手方向シリンダ軸と垂直な平面でとったものである。可動クランプ要素３１０は、クランプ長さｌに沿って延びるクランプ面３１３を有することが見られ得る（クランプ長さｌは、可動クランプ要素３１０の頂部の高さで測定され、この頂部の高さは可動クランプ要素３１０の上面３１０Ａにより画定され、この頂面３１０Ａは、動作中にユーザの皮膚に接触することが意図される）。示される実施形態において、可動クランプ要素の外側表面３１０Ａが、シリンダの湾曲に適合することにも留意する。また、固定クランプ要素の部品に３つの切り込みが見られ得、その１つが、動作中にユーザの皮膚と接触することが意図される上面３２０Ａを有する、固定クランプ要素３２０として例示的に特定される。外側表面３１０Ａ、３２０Ａは、直径Ｄ１を有する外側筒形シリンダ上に位置し、この直径Ｄ１は、約１０ｍｍ〜約４０ｍｍの範囲であり得る。図６において、リッジ３３６の規則的なパターン（これは、図３Ａに示されるシリンダ軸Ｃと平行に延びてもよい）は、低い高さのシリンダ表面上に配置され、この低い高さのシリンダは、筒形シリンダと同軸であり、直径Ｄ２を有し、Ｄ２＜Ｄ１であることが更に見られ得る。一部の実施形態では、Ｄ２は、Ｄ１の約８０％であり得る。一部の実施形態では、クランプ長さｌは、断面の中心点から測定して約３６°の角度範囲にわたって延び、又は言い換えれば、クランプ長さｌは、外側筒形シリンダの周辺部の約１０％であり得る（すなわち、ｌ＝０．１・２・πＤ１／２）。一般的に、クランプ長さｌは、筒状シリンダの周辺部の約８％〜約１２％の範囲であり得、特に約８．５％〜約１０．５％の範囲であり得る。一般的にクランプ長さｌの増加は、クランプシリンダの効率性を向上させ得るが、クランプ要素はまた、そのクランプ長さにわたり、皮膚と接触する必要がある（元来クランプされていない毛髪のために効率性が更に向上し得ないので）。クランプシリンダの周辺部の約１／１０のクランプ長さが、長さの増加による効率性の増加と、全長さ範囲にわたる確実な皮膚との接触との良いバランスをもたらすことが見出された。
【００５４】
本明細書に開示した寸法及び値は、記載された正確な数値に厳密に限定されるものと理解されるべきではない。むしろ、特に断らない限り、そのような寸法のそれぞれは、記載された値及びその値の周辺の機能的に同等の範囲の両方を意味するものとする。例えば、「４０ｍｍ」として開示される寸法は、「約４０ｍｍ」を意味することを意図する。
【図１】
2015530212.tif 000003
【図２】
2015530212.tif 000004
【図３Ａ】
2015530212.tif 000005
【図３Ｂ】
2015530212.tif 000006
【図４Ａ】
2015530212.tif 000007
【図４Ｂ】
2015530212.tif 000008
【図５Ａ】
2015530212.tif 000009
【図５Ｂ】
2015530212.tif 000010
【図６】
2015530212.tif 000011
【国際調査報告】
2015530212.tif 000012
2015530212.tif 000013
2015530212.tif 000014
2015530212.tif 000015